(57)【要約】【課題】ブシュリンクプレートと、ブシュ嵌合孔に嵌合するブシュと、ブシュの外周に回転可能に取り付けられるローラを有するチェンにおいて、ブシュをブシュリンクプレートから外すことなく、ローラを交換するのを可能にすること。【解決手段】  ブシュ嵌合孔を有するブシュリンクプレートと、ブシュ嵌合孔に嵌合するブシュと、ブシュの外周に回転可能に取り付けられるローラを有するチェンにおいて、ローラを２以上に分割した割型ローラにより形成した。【選択図】図１
2016006332.tif 000002
【特許請求の範囲】
【請求項１】
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラを２以上に分割した割型ローラにより形成したことを特徴とするチェン。
【請求項２】
前記割型ローラの端面の少なくとも一方に溝を設け、
前記溝にストップリングを係合することにより割型ローラを結合させたことを特徴とする請求項１に記載のチェン。
【請求項３】
前記割型ローラ同士を組み合わせるときに互いに係合する凸部と凹部を、前記割型ローラの組み合わせ面に設けたことを特徴とする請求項１又は請求項２に記載のチェン。
【発明の詳細な説明】
【技術分野】
【０００１】
本発明は、ブシュの外周にローラを設けるタイプのチェンに関するものである。
【背景技術】
【０００２】
図８はチェンの構成の一種を示す図である。
【０００３】
チェン１６０は互いに対抗する板状のピンリンクプレート（外リンクプレート）１６２を有しており、ピンリンクプレート（外リンクプレート）１６２は両端にそれぞれピン挿通孔を有している。
【０００４】
また、チェン１６０は互いに対抗する板状のブシュリンクプレート（内リンクプレート）１６４を有しており、ブシュリンクプレート（内リンクプレート）１６４は両端にそれぞれブシュ嵌合孔を有している。
ブシュ嵌合孔には円筒状のブシュ１６６の両端の嵌合部がそれぞれ嵌合され、ブシュ１６６の外周には円筒状のローラ１６８が回転可能に取り付けられている。
【０００５】
ブシュ１６６には両端にブシュリンクプレート（内リンクプレート）１６４のブシュ嵌合孔に嵌合する嵌合部が設けられ、また、中心部にピン１７０が貫通するピン貫通孔が設けられている。
【０００６】
また、チェン１６０は棒状のピン１７０を有している。
ピン１７０は円筒状の本体がブシュ１６６のピン貫通孔に挿通され、端部がピンリンクプレート（外リンクプレート）１６２に係止される。
【０００７】
チェン１６０は以上のように組立てられることにより、屈曲自在に連結する。
【先行技術文献】
【特許文献】
【０００８】
【特許文献１】特開2007-176615号公報
【発明の概要】
【発明が解決しようとする課題】
【０００９】
ローラを有するチェンを長期間駆動させた場合、ローラが摩耗等し、ローラだけを交換することが必要になることがある。その際、従来はブシュの外周に回転可能に取り付けられるローラが、一体の円筒状の部品だったので、ローラを交換するために、ブシュをブシュリンクプレートから外し、元のローラを外して新しいローラを取り付ける必要があった。
【００１０】
本発明は、ブシュをブシュリンクプレートから外すことなく、ローラを交換するのを可能にすることを課題とするものである。
【課題を解決するための手段】
【００１１】
本発明は、上記課題を解決するためになされたものであり、
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラを２以上に分割した割型ローラにより形成したことを特徴とするものである。
【００１２】
また、本発明は、前記割型ローラの端面の少なくとも一方に溝を設け、
前記溝にストップリングを係合することにより割型ローラを結合させたことを特徴とするものである。
【００１３】
また、本発明は、前記割型ローラ同士を組み合わせるときに互いに係合する凸部と凹部を、前記割型ローラの組み合わせ面に設けたことを特徴とするものである。
【発明の効果】
【００１４】
このような本発明によれば、
ブシュ嵌合孔を有するブシュリンクプレートと、
前記ブシュ嵌合孔に嵌合するブシュと、
前記ブシュの外周に回転可能に取り付けられるローラを有するチェンにおいて、
前記ローラを２以上に分割した割型ローラにより形成したことにより、
ブシュをブシュリンクプレートから外すことなく、ローラを交換することが可能になる。
【図面の簡単な説明】
【００１５】
【図１】本発明の第一の実施の形態に係るチェンの全体図である。
【図２】本発明の第一の実施の形態に係るチェンのローラを構成する割型ローラを示す図であり、（ａ）が正面図、（ｂ）が側面図である。
【図３】本発明の第一の実施の形態に係るチェンのローラを構成するストップリングを示す図である。
【図４】本発明の第二の実施の形態に係るチェンのローラを構成する割型ローラを示す図であり、（ａ）が正面図、（ｂ）が側面図である。
【図５】本発明の第三の実施の形態に係るチェンのローラを構成する割型ローラを示す図であり、（ａ）が正面図、（ｂ）が側面図である。
【図６】本発明の第四の実施の形態に係るチェンのローラを構成する割型ローラを示す図であり、（ａ）が正面図、（ｂ）が側面図である。
【図７】本発明の第五の実施の形態に係るチェンの全体図である。
【図８】従来のチェンの全体図である。
【発明を実施するための最良の形態】
【００１６】
以下、本発明の実施の形態について、図面に基づいて具体的に説明する。従来例と同様の箇所については、説明を省略する。
【００１７】
図１は、本発明の第一の実施の形態に係るチェン２の全体図である。図２は本発明の第一の実施の形態に係るチェン２のローラ１０を構成する割型ローラ１２（２０）を示す図であり、（ａ）が正面図、（ｂ）が側面図である。図３は、ストップリング３８を示す図である。
【００１８】
本発明の第一の実施の形態に係るチェン２のローラ１０は、図２（ａ），（ｂ）に示す割型ローラ２０（１２）を二つ、図３に示すストップリング３８で結合することにより形成される。第二の実施の形態以下のストップリングは、軸用，穴用とも図は省略する。
【００１９】
図２（ａ），（ｂ）に示すように、割型ローラ２０は、略半円筒状であり、両端面２２，２４には軸用のストップリング３８を係合する溝３２が形成される。
溝３２は、軸用のストップリング３８を係合するため、端面２２，２４よりも奥側が半径方向に食い込むように形成されている（内周面３０方向に食い込むように形成されている。）。
【００２０】
軸用のストップリング３８は、径が拡がる方向に弾性変形するので、二つの割型ローラ２０の組み合わせ面２６同士を組み合わせた状態で、図３に示す軸用のストップリング３８を径が拡がる方向に弾性変形させ溝３２の奥側に入れ込んで係合することにより、二つの割型ローラ２０を結合し一体化することが可能となる。
【００２１】
割型ローラ２０の組み合わせ面２６にはそれぞれ凸部３４と凹部３６が設けられる。割型ローラ２０同士を結合する際に、それぞれの組み合わせ面２６同士を組み合わせたときに、凸部３４と凹部３６が係合するので、ずれることなく二つの割型ローラ２０を合わせて円筒状のローラ１０を形成することができる。
【００２２】
このように、本発明の第一の実施の形態に係るチェン２においては、割型ローラ２０を二つ組み合わせた状態で、軸用のストップリング３８を割型ローラ２０に形成されている溝３２に係合させることにより、二つの割型ローラ２０を結合し、ローラ１０を形成することができる。
【００２３】
このようにチェンのローラを構成することにより、長年の使用により摩耗する等してチェンのローラの交換が必要になる場合に、容易にローラをチェンから取り外し、また取り付けることが可能となる。
【００２４】
図４は本発明の第二の実施の形態に係るチェンのローラを構成する割型ローラ４０を示す図であり、（ａ）が正面図、（ｂ）が側面図である。  
【００２５】
図４（ａ），（ｂ）に示すように、割型ローラ４０は、略半円筒状であり、両端面４２，４４には軸用のストップリングを係合する溝５２が形成される。
また、割型ローラ４０の側面にはそれぞれ凸部５４と凹部５６が設けられる。
【００２６】
第二の実施の形態に係るチェンのローラを構成する割型ローラ４０においても、軸用のストップリングを割型ローラ４０に形成されている溝５２に係合させ、二つの割型ローラ４０を結合し、ローラを形成することにより、長年の使用により摩耗する等してチェンのローラの交換が必要になる場合に、容易にローラをチェンから取り外し、また取り付けることが可能となる。
【００２７】
図５は、本発明の第三の実施の形態に係るチェンのローラを構成する割型ローラ６０を示す図であり、（ａ）が正面図、（ｂ）が側面図である。
【００２８】
図５（ａ），（ｂ）に示すように、割型ローラ６０は略半円筒状であり、両端面６２，６４には穴用のストップリングを係合する溝７２が形成される。
溝７２は、穴用のストップリングを係合するため、端面６２，６４よりも奥側が外周面６８方向に拡がるように形成される。
【００２９】
穴用のストップリングは径が小さくなる方向に弾性変形するので、二つの割型ローラ６０を組み合わせた状態で、穴用のストップリングを径が小さくなる方向に弾性変形させ溝７２の奥側に入れ込んで係合することにより、二つの割型ローラ６０を結合し一体化することが可能となる。
【００３０】
また、割型ローラ６０の組み合わせ面にはそれぞれ凸部７４と凹部７６が設けられる。割型ローラ６０同士を結合する際に、それぞれの組み合わせ面６６同士を組み合わせたときに、凸部７４と凹部７６が係合するので、ずれることなく二つの割型ローラ６０を合わせて円筒状のローラを形成することができる。
【００３１】
図６は、本発明の第四の実施の形態に係るチェンのローラを構成する割型ローラ８０を示す図であり、（ａ）が正面図、（ｂ）が側面図である。
【００３２】
このような割型ローラ８０を二つ結合することによっても、第三の実施の形態と同様に、二つの割型ローラ８０を結合し一体化することが可能となる。
【００３３】
以上、本発明の実施の形態を説明したが、本発明の技術的範囲は、前述した実施の形態に左右されない。当業者であれば、特許請求の範囲に記載された技術的思想の範疇内において各種の変更例または修正例に想到しうることは明らかであり、それらについても当然に本発明の技術的範囲に属するものと了解される。
【００３４】
例えば、実施の形態においては、ピンリンクプレート（外リンクプレート），ブシュリンクプレート（内リンクプレート）を有する（等から構成される）チェンについて説明したが、これらのチェンに限られず、ブシュの外周にローラを設けるタイプのチェンについて本発明は適用可能である。
【００３５】
すなわち、例えば、図７に示すようなオフセットタイプのチェンについても、本発明の適用は可能である。
【００３６】
また、実施の形態においては、割型ローラの両端面に溝を設けストップリングを係合する例について示したが、割型ローラの一端面に溝を設けストップリングを係合しても構わない。実施の形態においては、二つの割型ローラでローラを形成する例について示したが、三つ以上の割型ローラを組み合わせて形成しても構わない。
【符号の説明】
【００３７】
２  チェン
４  ピンリンクプレート（外リンクプレート）
６  ブシュリンクプレート（内リンクプレート）
８  ブシュ
１０  ローラ
１２  割型ローラ
１４  ストップリング
１６  コッターピン
１８  Ｔピン
２０  割型ローラ
２２，２４  端面
２６  組み合わせ面
２８  外周面
３０  内周面
３２  溝
３４  凸部
３６  凹部
３８  ストップリング
４０  割型ローラ
４２，４４  端面
４６  組み合わせ面
４８  外周面
５０  内周面
５２  溝
５４  凸部
５６  凹部
６０  割型ローラ
６２，６４  端面
６６  組み合わせ面
６８  外周面
７０  内周面
７２  溝
７４  凸部
７６  凹部
８０  割型ローラ
８２，８４  端面
８６  組み合わせ面
８８  外周面
９０  内周面
９２  溝
９４  凸部
９６  凹部
１００  チェン
１０２  オフセットリンクプレート
１０８  ブシュ
１１０  ローラ
１１２  割型ローラ
１１４  ストップリング
１１６  コッターピン
１１８  Ｔピン
１６０  チェン
１６２  ピンリンクプレート（外リンクプレート）
１６４  ブシュリンクプレート（内リンクプレート）
１６６  ブシュ
１６８  ローラ
１７０  ピン
【図１】
2016006332.tif 000003
【図２】
2016006332.tif 000004
【図３】
2016006332.tif 000005
【図４】
2016006332.tif 000006
【図５】
2016006332.tif 000007
【図６】
2016006332.tif 000008
【図７】
2016006332.tif 000009
【図８】
2016006332.tif 000010